(57)【要約】【課題】  周囲環境の美観を大きく損ねることを軽減しつつ、プロジェクターをガイドレールに沿ってスライド移動可能とする画像表示システムを提供することである。【解決手段】  プロジェクターから投射される画像を所定領域に表示させる画像表示システムであって、前記所定領域の上方の設置面に固設される基礎部と、前記設置面に固設された基礎部において前記設置面から前記画像の看者側に所定の長さだけ離れた位置に、前記所定領域に沿って略水平方向に配置されるガイドレールと、前記プロジェクターを保持しつつ、前記ガイドレールに沿って走行可能な支持フレームと、前記配置されたガイドレールを前記画像の看者側から隠覆するように配置されるレールカバー手段とを備える、画像表示システム。【選択図】  図４
2018180086.tif 000002
【特許請求の範囲】
【請求項１】
プロジェクターから投射される画像を所定領域に表示させる画像表示システムであって、
前記所定領域の上方の設置面に固設される基礎部と、
前記設置面に固設された基礎部において前記設置面から前記画像の看者側に所定の長さだけ離れた位置に、前記所定領域に沿って略水平方向に配置されるガイドレールと、
前記プロジェクターを保持しつつ、前記ガイドレールに沿って走行可能な支持フレームと、
前記配置されたガイドレールを前記画像の看者側から隠覆するように配置されるレールカバー手段とを備える、画像表示システム。
【請求項２】
前記プロジェクターに接続されているコードのうち、前記支持フレームが前記ガイドレールに沿って走行することに応じて前記所定領域の上方で繰り出されるコードを収納する収納領域と、
前記収納領域を前記画像の看者側から隠覆するように配置されるコードカバー手段とを、さらに備える、請求項１に記載の画像表示システム。
【請求項３】
前記ガイドレールは、
前記基礎部のうち上部に配置される上部ガイドレールと、
前記基礎部のうち下部に配置される下部ガイドレールとを有し、
前記レールカバー手段は、
前記上部ガイドレールを隠覆するように配置される上部レールカバー手段と、
前記下部ガイドレールを隠覆するように配置される下部レールカバー手段とを有する、請求項１または２に記載の画像表示システム。
【請求項４】
前記ガイドレールは、
前記基礎部のうち上部に配置される上部ガイドレールと、
前記基礎部のうち下部に配置される下部ガイドレールとを有し、
前記コードカバー手段は、前記上部ガイドレールまたは前記下部ガイドレールのいずれか一方を隠覆するように配置されることを特徴とする、請求項２に記載の画像表示システム。
【請求項５】
前記上部ガイドレールまたは前記下部ガイドレールのいずれか一方は、前記基礎部と一体形成されていることを特徴とする、請求項３または４に記載の画像表示システム。
【請求項６】
前記支持フレームには、前記所定領域に展開可能なスクリーンが連結されることを特徴とする、請求項１乃至５のいずれかに記載の画像表示システム。
【請求項７】
プロジェクターから投射される画像を所定領域に表示させる画像表示システムを設置する画像表示システム設置方法であって、
前記所定領域の上方の設置面に基礎部を固設するステップと、
前記設置面に固設された基礎部において前記設置面から前記画像の看者側に所定の長さだけ離れた位置に、ガイドレールを前記所定領域に沿って略水平方向に配置ステップと、
前記プロジェクターを保持する支持フレームを、前記ガイドレールに沿って走行可能に配置するステップと、
前記プロジェクターに接続されているコードのうち、前記支持フレームが前記ガイドレールに沿って走行することに応じて前記所定領域の上方で繰り出されるコードを収納する収納領域を前記画像の看者側から隠覆するようにコードカバーを配置するステップとを含み、
前記基礎部には、前記ガイドレールを前記画像の看者側から隠覆するように配置されるレールカバーが予め配置されていることを特徴とする、画像表示システム設置方法。
【発明の詳細な説明】
【技術分野】
【０００１】
本発明は、プロジェクターから投射される画像を所定領域に表示させる画像表示システムに関し、より特定的には、当該プロジェクターをガイドレールに沿ってスライド移動可能とする画像表示システムに関する。
【背景技術】
【０００２】
一般的に、学校等の教育現場、研修会場、およびプレゼンテーション会場等では、黒板、ホワイトボード、あるいは大型スクリーン等を用いて、授業、講義、およびプレゼンテーション等が実施される。
【０００３】
また、近年では、黒板、ホワイトボード、または壁面にガイドレールを配置して、当該ガイドレールに沿ってプロジェクターをスライド移動させることによって、所望領域にプロジェクターからの画像を投射させるプロジェクター設置装置がある（例えば、特許文献１参照）。
【０００４】
図６は、従来技術におけるプロジェクター設置装置１０を示す概略図である。図６において、プロジェクター設置装置１０は、壁面固定型のボード１１と、第１のガイドレール１２と、第２のガイドレール１３と、第１のレール係動手段１４と、第２のレール係動手段１５とを備える。
【０００５】
プロジェクター設置装置１０は、第１のレール係動手段１４および第２のレール係動手段１５をそれぞれ第１のガイドレール１２および第２のガイドレール１３に係合させて転動または摺動させる。これにより、プロジェクター設置装置１０は、プロジェクターＰからの画像を壁面固定型のボード１１のうちの所望領域Ａに投射可能としている。
【先行技術文献】
【特許文献】
【０００６】
【特許文献１】特開２０１４−４８３０６号公報
【発明の概要】
【発明が解決しようとする課題】
【０００７】
しかしながら、従来技術におけるプロジェクター設置装置１０では、プロジェクターをスライド移動させる範囲に第１のガイドレール１２および第２のガイドレール１３を配置するため、周囲環境の美観を大きく損ねる可能性があるという問題がある。
【０００８】
特に、近年では、黒板やホワイトボードが設置された教育現場だけでなく、企業における会議室、役員室、応接室、およびイベントホール等でも、プロジェクターを使用した会議やプレゼンテーションが実施されることから、当該部屋や会場等の美観も重要視されることがある。より具体的には、企業の役員室や応接室において、プロジェクターやスクリーンを設置する場合、例えば、正面にガイドレールが露出されていれば、役員室や応接室の重厚感や高級感が台無しになってしまう。
【０００９】
それ故に、本発明は、上記のような課題に鑑みてなされたものであって、本発明の目的の１つは、周囲環境の美観を大きく損ねることを軽減しつつ、プロジェクターをガイドレールに沿ってスライド移動可能とする画像表示システムを提供することである。
【課題を解決するための手段】
【００１０】
上記目的を達成するために、本発明は、少なくとも以下のような構成を備え、もしくは手順を実行する。なお、以下の説明において、本発明の理解を容易にするために図面に示されている符号等を付記する場合があるが、本発明の各構成要素は、図面に示されているものに限定されるものではなく、当業者が技術的に理解しうる範囲にまで広く解釈されるべきものである。
【００１１】
本発明の一局面に係る画像表示システムは、プロジェクターから投射される画像を所定領域に表示させる画像表示システムであって、前記所定領域の上方の設置面に固設される基礎部と、前記設置面に固設された基礎部において前記設置面から前記画像の看者側に所定の長さだけ離れた位置に、前記所定領域に沿って略水平方向に配置されるガイドレールと、前記プロジェクターを保持しつつ、前記ガイドレールに沿って走行可能な支持フレームと、前記配置されたガイドレールを前記画像の看者側から隠覆するように配置されるレールカバー手段とを備える。
かかる構成により、本発明の一局面に係る画像表示システムは、レールカバー手段によって前記配置されたガイドレールを前記画像の看者側から隠覆するため、周囲環境の美観を大きく損ねることを軽減しつつ、プロジェクターをガイドレールに沿ってスライド移動させることができる。
【００１２】
また、本発明の一局面に係る画像表示システムは、前記プロジェクターに接続されているコードのうち、前記支持フレームが前記ガイドレールに沿って走行することに応じて前記所定領域の上方で繰り出されるコードを収納する収納領域と、前記収納領域を前記画像の看者側から隠覆するように配置されるコードカバー手段とを、さらに備える、ことが好ましい。
かかる構成により、本発明の一局面に係る画像表示システムは、コードカバー手段によって前記コードが収納された収納領域を前記画像の看者側から隠覆するため、より周囲環境の美観を大きく損ねることを軽減することができる。
【００１３】
また、好ましくは、前記ガイドレールは、前記基礎部のうち上部に配置される上部ガイドレールと、前記基礎部のうち下部に配置される下部ガイドレールとを有し、前記レールカバー手段は、前記上部ガイドレールを隠覆するように配置される上部レールカバー手段と、前記下部ガイドレールを隠覆するように配置される下部レールカバー手段とを有する。
かかる構成により、本発明の一局面に係る画像表示システムは、上部ガイドレールと下部ガイドレールとを有するため、プロジェクターをスライド移動させる際に、より安定してスライド移動させることができる。
【００１４】
また、好ましくは、前記ガイドレールは、前記基礎部のうち上部に配置される上部ガイドレールと、前記基礎部のうち下部に配置される下部ガイドレールとを有し、前記コードカバー手段は、前記上部ガイドレールまたは前記下部ガイドレールのいずれか一方を隠覆するように配置されることを特徴とする。
かかる構成により、本発明の一局面に係る画像表示システムは、上部ガイドレールと下部ガイドレールとを有するため、プロジェクターをスライド移動させる際に、より安定してスライド移動させることができると共に、前記コードカバー手段が前記上部ガイドレールまたは前記下部ガイドレールのいずれか一方を隠覆するため、シンプルな構造で周囲環境の美観を大きく損ねることを軽減することができる。
【００１５】
また、好ましくは、前記上部ガイドレールまたは前記下部ガイドレールのいずれか一方は、前記基礎部と一体形成されていることを特徴とする。
かかる構成により、本発明の一局面に係る画像表示システムは、よりシンプルな構造で周囲環境の美観を大きく損ねることを軽減することができる。
【００１６】
また、好ましくは、前記支持フレームには、前記所定領域に展開可能なスクリーンが連結されることを特徴とする。
かかる構成により、本発明の一局面に係る画像表示システムは、スクリーンを展開することによって、例えば、企業における会議室、役員室、応接室、およびイベントホール等で、プロジェクターから投射される画像を適切に表示できる領域がなかったとしても、所望する位置に画像を表示させることができる。
【００１７】
また、本発明の一局面に係る画像表示システム設置方法は、プロジェクターから投射される画像を所定領域に表示させる画像表示システムを設置する画像表示システム設置方法であって、前記所定領域の上方の設置面に基礎部を固設するステップと、前記設置面に固設された基礎部において前記設置面から前記画像の看者側に所定の長さだけ離れた位置に、ガイドレールを前記所定領域に沿って略水平方向に配置ステップと、前記プロジェクターを保持する支持フレームを、前記ガイドレールに沿って走行可能に配置するステップと、前記プロジェクターに接続されているコードのうち、前記支持フレームが前記ガイドレールに沿って走行することに応じて前記所定領域の上方で繰り出されるコードを収納する収納領域を前記画像の看者側から隠覆するようにコードカバーを配置するステップとを含み、前記基礎部には、前記ガイドレールを前記画像の看者側から隠覆するように配置されるレールカバーが予め配置されていることを特徴とする。
かかる構成により、本発明の一局面に係る画像表示システム設置方法は、周囲環境の美観を大きく損ねることを軽減しつつ、プロジェクターをガイドレールに沿ってスライド移動可能とする画像表示システムを容易に設置することができる。
【発明の効果】
【００１８】
以上のように、本発明によれば、周囲環境の美観を大きく損ねることを軽減しつつ、プロジェクターをガイドレールに沿ってスライド移動可能とする画像表示システムを提供することができる。
【図面の簡単な説明】
【００１９】
【図１】本発明の一実施形態に係る画像表示システム１００を示す正面概略図である。
【図２】本発明の一実施形態に係る画像表示システム１００を一部可視化して内部構造を示す正面概略図である。
【図３】本発明の一実施形態に係る画像表示システム１００を示す側面概略拡大図である。
【図４】本発明の一実施形態に係る画像表示システム１００の主要部分の構造を示す側面概略拡大図である。
【図５】本発明の一実施形態に係る画像表示システム設置方法２００を示すフローチャートである。
【図６】従来技術におけるプロジェクター設置装置１０を示す概略図である。
【発明を実施するための形態】
【００２０】
以下、本発明の一実施形態について、図面を参照しながら具体的に説明する。なお、以下で説明する実施形態は、あくまで、本発明を実施するための具体的な一例を挙げるものであって、本発明を限定的に解釈させるものではない。
【００２１】
＜一実施形態＞
［画像表示システム］
図１は、本発明の一実施形態に係る画像表示システム１００を示す正面概略図である。図１において、画像表示システム１００は、壁面固定型のホワイトボードＷの上方に設置されており、当該ホワイトボードＷのうち所望領域（画像表示領域）Ａに、プロジェクターＰから投射される画像を表示可能としている。
【００２２】
画像表示システム１００は、基礎部（図示せず）と、ガイドレール（図示せず）と、支持フレーム１１０と、レールカバー手段１２０と、コードカバー手段１３０とを備える。なお、基礎部およびガイドレールは、レールカバー手段１２０およびコードカバー手段１３０によって画像の看者側から隠覆されているため、図１では示されていないが、詳細な構造については後述する。
【００２３】
基礎部は、ホワイトボードＷの上方の壁面に固設されており、プロジェクターＰを略水平方向に沿ってスライド移動させるためのガイドレールを、ホワイトボードＷの幅方向全体に亘って、または幅方向の所定範囲に亘って配置できるようにしている。換言すれば、基礎部は、ガイドレールを配置できればどのような構成であっても良く、例えば、ホワイトボードＷの幅方向において、連続した構造であっても構わないし、所定の距離毎に配置される構造であっても構わない。
【００２４】
ガイドレールは、壁面に固設された基礎部に配置され、ホワイトボードＷの幅方向（略水平方向）に沿って配置されている。図１では、ガイドレールは、レールカバー手段１２０およびコードカバー手段１３０によって画像の看者側から見えないように隠覆されている。
【００２５】
レールカバー手段１２０は、ガイドレールを画像の看者側から見えないように隠覆している。
【００２６】
コードカバー手段１３０は、プロジェクターＰに接続されているコードＣを画像の看者側から見えないように隠覆している。なお、コードＣは、例えば、ホワイトボードＷの近傍にあるコンセントからプロジェクターＰへ電源を供給するものであって、プロジェクターＰがスライド移動することに伴って繰り出される。
【００２７】
また、コードカバー手段１３０は、当該看者側から見えないようにコードＣを隠覆するが、コードＣの全てを隠覆しても構わないし、一部を隠覆しても構わない。
【００２８】
図２は、本発明の一実施形態に係る画像表示システム１００を一部可視化して内部構造を示す正面概略図である。図２において、画像表示システム１００の内部構造が見えるように、図１で示した画像表示システム１００のうちレールカバー手段１２０およびコードカバー手段１３０を表示していない。図２では、プロジェクターＰを保持する支持フレーム１１０と、壁面に固設された基礎部１４０と、当該基礎部１４０のうち上部に配置される上部ガイドレール１５１および当該基礎部１４０のうち下部に配置される下部ガイドレール１５２とを示している。
【００２９】
支持フレーム１１０は、プロジェクターＰを保持しつつ、上部ガイドレール１５１と下部ガイドレール１５２に沿って走行可能となっている。
【００３０】
具体的には、支持フレーム１１０は、上部ガイドレール１５１と下部ガイドレール１５２とにそれぞれ係合するキャスターを備えており、当該キャスターがガイドレール上を転動することにより、支持フレーム１１０がスライド移動する。
【００３１】
なお、ガイドレール上を転動するキャスターは、どのような転動子であっても構わないし、また、支持フレーム１１０がスライド移動可能な構成であれば、ガイドレール上を摺動する摺動子であっても構わない。
【００３２】
このように、プロジェクターＰを保持する支持フレーム１１０が上部ガイドレール１５１と下部ガイドレール１５２とに沿ってスライド移動することによって、プロジェクターＰが横方向においてホワイトボードＷをスライド移動する。これにより、ホワイトボードＷのうち所望領域Ａに画像を表示させることができる。
【００３３】
図１および図２で示したように、画像表示システム１００は、ホワイトボードＷの上方において壁面に基礎部１４０を固設し、当該基礎部１４０のうち上部に上部ガイドレール１５１を配置し、当該基礎部１４０のうち下部に下部ガイドレール１５２を配置している。そして、上部ガイドレール１５１は、レールカバー手段１２０によって看者側から見えないように隠覆され、下部ガイドレール１５２は、コードカバー手段１３０によって看者側から見えないように隠覆されている。つまり、本実施形態では、コードカバー手段１３０は、ガイドレールの一部を隠覆する機能も兼ね備えている。
【００３４】
このように、画像表示システム１００は、レールカバー手段１２０およびコードカバー手段１３０によって、上部ガイドレール１５１、下部ガイドレール１５２、およびコードＣを画像の看者側から隠覆するため、周囲環境の美観を大きく損ねることを軽減しつつ、プロジェクターＰをガイドレールに沿ってスライド移動させることができる。
【００３５】
図３は、本発明の一実施形態に係る画像表示システム１００を示す側面概略拡大図である。図３において、画像表示システム１００における支持フレーム１１０に保持されたプロジェクターＰは、画像表示システム１００が設置されている壁面に投射して画像を表示させている。
【００３６】
図４は、本発明の一実施形態に係る画像表示システム１００の主要部分の構造を示す側面概略拡大図である。図４において、画像表示システム１００は、支持フレーム１１０と、レールカバー手段１２０と、コードカバー手段１３０と、基礎部１４０と、上部ガイドレール１５１と、下部ガイドレール１５２とを備える。
【００３７】
基礎部１４０は、壁面に固設されており、プロジェクターＰから投影される画像の看者側に所定の長さＬのガイドレール配置部を備えている。ここでは、基礎部１４０は、上部ガイドレール１５１を配置するための上部ガイドレール配置部１４１と、下部ガイドレール１５２を配置するための下部ガイドレール配置部１４２とを有している。
【００３８】
ここで、基礎部１４０は、木材を用いて生成されるが、複数の板状の木材を組み合わせて生成しても構わないし、全てを一体的に生成しても構わない。また、基礎部１４０は、必ずしも木製である必要はなく、例えば、設置や生成の容易度、強度、およびコスト等を鑑みて、金属製、樹脂製、およびそれらの組み合わせであっても構わない。
【００３９】
上部ガイドレール１５１は、上向きに開口する態様で上部ガイドレール配置部１４１の上側に配置され、下部ガイドレール１５２は、下向きに開口する態様で下部ガイドレール配置部１４２の下側に配置される。なお、上部ガイドレール１５１および下部ガイドレール１５２は、基礎部１４０に固着されている。
【００４０】
レールカバー手段１２０は、上部ガイドレール１５１を画像の看者側から隠覆するように配置される。
【００４１】
なお、レールカバー手段１２０は、上部ガイドレール１５１を画像の看者側から隠覆するような板形状になっており、基礎部１４０と連結されているが、予め、基礎部１４０と一体生成されていても構わないし、複数の板状の木材を組み合わせて生成しても構わない。
【００４２】
コードカバー手段１３０は、プロジェクターＰに接続されているコードＣを画像の看者側から隠覆するように配置される。
【００４３】
ここで、コードＣは、上部ガイドレール配置部１４１と下部ガイドレール配置部１４２との間にある収納領域に収納されるように配置されており、プロジェクターＰがスライド移動することに伴って繰り出される。また、コードＣが当該収納領域で絡まらないように、上部ガイドレール配置部１４１および下部ガイドレール配置部１４２の近傍に導かれるようにガイド等で制御することが好ましい。
【００４４】
さらに、コードカバー手段１３０は、プロジェクターＰに接続されているコードＣを収納領域に導くことができるように、レールカバー手段１２０との間に空間が形成されるように配置されている。そして、コードカバー手段１３０は、収納領域に導かれたコードＣを画像の看者側から見えないように、コードＣ（収納領域）の少なくとも一部を隠覆している。
【００４５】
また、コードカバー手段１３０は、下部ガイドレール配置部１４２の下側に配置された下部ガイドレール１５２も画像の看者側から見えないように隠覆している。換言すれば、コードカバー手段１３０は、コードＣが収納される収納領域から下部ガイドレール１５２が配置されている位置までに亘って配置されており、下部ガイドレール１５２を隠覆するレールカバー手段としても機能している。
【００４６】
コードカバー手段１３０は、コードＣ（収納領域）および下部ガイドレール１５２を画像の看者側から隠覆するような板形状になっているとともに、下部ガイドレール配置部１４２の上側に載置可能な所定の長さＬの結合部を有している。
【００４７】
図４に示すように、コードカバー手段１３０が所定の長さＬの結合部を備えてＴ字形状を有することによって、下部ガイドレール配置部１４２の上側に載置し、より容易にコードカバー手段１３０を配置することができる。
【００４８】
以上のように、本発明の一実施形態に係る画像表示システム１００によれば、レールカバー手段１２０によって上部ガイドレール１５１を画像の看者側から隠覆し、コードカバー手段１３０によってコードＣが収納された収納領域を画像の看者側から隠覆しているため、周囲環境の美観を大きく損ねることを軽減しつつ、プロジェクターＰをスライド移動させることができる。
【００４９】
本実施形態では、プロジェクターＰに接続されているコードＣは、上部ガイドレール配置部１４１の下側とコードカバー手段１３０の上側との間から収納領域に導かれているが、その他の形態であっても構わない。
【００５０】
例えば、コードカバー手段１３０が上部ガイドレール１５１およびコードＣ（収納領域）を画像の看者側から見えないように配置され、レールカバー手段１２０が下部ガイドレール１５２を画像の看者側から見えないように配置されても構わない。この場合、プロジェクターＰに接続されているコードＣは、コードカバー手段１３０の下側と下部ガイドレール配置部１４２の上側との間から収納領域に導かれることになる。
【００５１】
また、本実施形態では、下部ガイドレール１５２は下向きに開口する態様であったが、看者側に開口する態様であっても構わない。支持フレーム１１０の下部に接続されているキャスターから壁面側への押力が強く働くことによって、プロジェクターＰの荷重によって支持フレーム１１０の下部分が壁面側へ傾くことを防止することができる。
【００５２】
さらに、下部ガイドレール１５２を備えなくても良く、この場合、支持フレーム１１０の下部に接続されているキャスターが基礎部１４０または壁面を直接転動する。この場合、下部ガイドレール１５２を設置する必要がないため、より容易に画面表示システムを設置することができる。
【００５３】
本実施形態では、レールカバー手段１２０およびコードカバー手段１３０は、板形状の木材を用いているが、これに限定されるものではない。例えば、周囲環境の美観を大きく損ねることを軽減するようなものであれば、画像表示システム１００が設置される会議室、応接室、またはイベントホール等に応じて、金属製、樹脂製、およびそれらの組み合わせであっても構わない。
【００５４】
本実施形態では、画像表示システム１００は壁面固定型のホワイトボードＷの上方に設置されていたが、これに限定されるものではなく、例えば、教室や講義室の黒板等の上方の壁面に設置されても構わないし、企業における会議室、役員室、応接室、およびイベントホール等でも同様に設置されても構わない。
【００５５】
さらに、プロジェクターＰから投射される画像を表示する画像表示領域Ａを備えていない環境であれば、例えば、支持フレーム１１０の下部にスクリーンを備えておいても構わない。スクリーンは、支持フレーム１１０に着脱可能であっても構わないし、巻取り式であっても構わない。スクリーンが着脱可能および／または巻取り式であれば、容易に使用できるとともに、周囲環境の美観を大きく損ねることもない。
【００５６】
［画像表示システム設置方法］
次に、画像表示システムの設置方法について、詳しく説明する。
図５は、本発明の一実施形態に係る画像表示システム設置方法２００を示すフローチャートである。図５において、画像表示システム設置方法２００は、ステップＳ２１０〜Ｓ２４０を含んでおり、図４を参照しながら各ステップについて、以下、具体的に説明する。
【００５７】
ステップＳ２１０において、基礎部１４０を壁面に固設する。この際、基礎部１４０には、予めレールカバー手段１２０が連結されている。
【００５８】
ステップＳ２２０において、上部ガイドレール配置部１４１に上部ガイドレール１５１を配置し、下部ガイドレール配置部１４２に下部ガイドレール１５２を配置する。ここで、ステップＳ２１０において既にレールカバー手段１２０が配置されていることにより、上部ガイドレール１５１は、正面からレールカバー１２０手段を乗り越えるように配置しても構わないし、側面からスライドさせるようにして配置しても構わない。
【００５９】
ステップＳ２３０において、プロジェクターＰを保持する支持フレーム１１０を配置する。ここで、支持フレーム１１０に備えられている上部および下部キャスターを、それぞれ上部ガイドレール１５１および下部ガイドレール１５２に係合させるために、支持フレーム１１０は側面からスライドさせて配置する。
【００６０】
なお、この際、支持フレーム１１０にプロジェクターＰを予め保持させていても構わないし、支持フレーム１１０を上述したように側面からスライドさせて配置した後にプロジェクターＰを保持させるようにしても構わない。
【００６１】
そして、プロジェクターＰに接続されているコードＣを収納領域に配置しておく。
【００６２】
ステップＳ２４０において、コードカバー手段１３０を配置する。ここで、ステップＳ２３０において既に支持フレーム１１０が配置されていることにより、コードカバー手段１３０は、側面からスライドさせるようにして配置する。
【００６３】
以上のように、本発明の一実施形態に係る画像表示システム設置方法２００によれば、予めレールカバー手段１２０が配置された基礎部１４０、上部ガイドレール１５１および下部ガイドレール１５２、支持フレーム１１０、およびコードカバー手段１３０を順に設置するため、周囲環境の美観を大きく損ねることを軽減しつつスライド移動可能とする画像表示システム１００を、容易に設置することができる。
【００６４】
なお、本実施形態において、各構成要素等を固設、固着、配置、設置、接続、連結および固定する等に関して、説明の都合上、図面での記載を簡略化または省略し、さらに詳細な説明も省略しているが、それぞれ、釘、ビス、ネジ、アンカー、接着剤、および接着テープ等を用いて、適切な方法によって実装している。
【００６５】
以上、本発明の一実施形態についての具体的な説明を行った。上記説明は、あくまで一実施形態としての説明であって、本発明の範囲はこの一実施形態に留まらず、当業者が把握可能な範囲にまで広く解釈されるものである。
【産業上の利用可能性】
【００６６】
本発明は、プロジェクターを用いた画像表示システム等に利用可能であって、特に、プロジェクターをガイドレールに沿ってスライド移動可能とする画像表示システム等に有用である。
【符号の説明】
【００６７】
１００  画像表示システム
１１０  支持フレーム
１２０  レールカバー手段
１３０  コードカバー手段
１４０  基礎部
１４１  上部ガイドレール配置部
１４２  下部ガイドレール配置部
１５１  上部ガイドレール
１５２  下部ガイドレール
２００  画像表示システム設置方法
Ｓ２１０〜Ｓ２４０  各ステップ
Ａ  画像表示領域
Ｐ  プロジェクター
Ｗ  ホワイトボード
Ｃ  コード
Ｌ  所定の長さ
１０  プロジェクター設置装置
１１  ボード
１２  第１のガイドレール
１３  第２のガイドレール
１４  第１のレール係動手段
１５  第２のレール係動手段
【図１】
2018180086.tif 000003
【図２】
2018180086.tif 000004
【図３】
2018180086.tif 000005
【図４】
2018180086.tif 000006
【図５】
2018180086.tif 000007
【図６】
2018180086.tif 000008